(57)【要約】【課題】本発明に係る証書類の割り印印刷システムは、証書類の割り印の偽造を困難とし、かつ、割り印を利用した証書類の真偽判別を紙同士の突き合わせ方式で的確に実現し得る割り印印刷システムを提供する。【解決手段】本発明の割り印印刷システムは、割り印用の印章を使用してカラー印影を作成し、途中から２つに切り離して証書本体用印影と、割り印台帳用印影とし、これらを画像処理して生成した証書本体用印影データ３３ｂ、割り印台帳用印影データ３３ａを共通の管理番号、証書番号に対応づけて個別に記憶する証書本体用データ記憶部９、割り印台帳用データ記憶部８を備える管理コンピュータ２と、証書本体用印影データ３３ｂを基に証書本体用印影をその分離端が証書本体３０の用紙端から微小寸法空けた位置となるようにカラー印刷するとともに、割り印台帳用印影データ３３ａを基に割り印台帳用印影を割り印台帳３１の個別印影欄にカラー印刷するカラー印刷手段３とを有するものである。【選択図】図１
2010154194.tif 000002
【特許請求の範囲】
【請求項１】
割り印用の印章を使用してカラー印影を作成し、途中から２つに切り離して証書本体用印影と、台帳用印影とし、これらを画像処理して生成した証書本体用印影データ、割り印台帳用印影データを共通の管理番号、証書番号に対応づけて個別に記憶する記憶手段を備える管理コンピュータと、
前記証書本体用印影データを基に証書本体用印影をその分離端が証書本体の用紙端から微小寸法空けた位置となるようにカラー印刷するとともに、前記割り印台帳用印影データを基に割り印台帳用印影を割り印台帳の個別印影欄にカラー印刷するカラー印刷手段と、
を有することを特徴とする証書類の割り印印刷システム。
【請求項２】
割り印用の印章を使用してカラー印影を作成し、途中から２つに分離して証書本体用印影と、割り印台帳用印影とし、これらを画像処理して生成した証書本体用印影データ、割り印台帳用印影データを共通の管理番号、証書番号に対応づけて個別に記憶する証書本体用データ記憶部、割り印台帳用データ記憶部を備える管理コンピュータと、
前記証書本体用印影データを基に証書本体用印影をその分離端が証書番号を明示した証書本体の用紙端から約０．５ｍｍ又は略０．５ｍｍ空けた位置となるようにカラー印刷するとともに、前記割り印台帳用印影データを基に割り印台帳用印影を割り印台帳の管理番号、証書番号に対応した個別印影欄にカラー印刷するカラー印刷手段と、
を有することを特徴とする証書類の割り印印刷システム。
【請求項３】
用紙端から微小寸法空けた位置に分離端がくるように割り印の一方である証書本体用印影がカラー印刷された証書本体と、個別印影欄に割り印の他方である割り印台帳用印影がカラー印刷された割り印台帳とを、前記証書本体用印影の分離端と割り印台帳用印影の分離端とが対向するように突き合わせ、両分離端の合致の有無により当該証書本体の真偽を判別することを特徴とする証書類の割り印照合方法。
【請求項４】
用紙端から約０．５ｍｍ又は略０．５ｍｍ空けた位置に分離端がくるように割り印の一方である証書本体用印影がカラー印刷され証書番号が明示された証書本体と、管理番号、証書番号に対応した個別印影欄に割り印の他方である割り印台帳用印影がカラー印刷された割り印台帳とを、前記証書本体用印影の分離端と、対応する管理番号又は証書番号の個別印影欄に印刷された割り印台帳用印影の分離端とが対向するように突き合わせ、両分離端の合致の有無により当該証書本体の真偽を判別することを特徴とする証書類の割り印照合方法。
【発明の詳細な説明】
【技術分野】
【０００１】
本発明は、証書類の割り印の偽造を困難とし、かつ、割り印を利用した証書類の真偽判別を突き合わせ方式で的確に実現し得る証書類の割り印印刷システム及び割り印照合方法に関するものである。
【背景技術】
【０００２】
例えば、学校等の教育機関等で授与者に対して発行する各種証書類（学位記・卒業証書・証明書等）は、従来より、その証書類を当該機関等で発行したことの証（あかし）のために、当該機関でしか持つことのできない割り印用として使用する例えば契約印等の印章（この印章の印影３２を図１０に示す）使用し、図９に示すような資格証明書のような証書本体３０と、割り印台帳３１とを図１１、図１２に示すように重ね合わせ、朱肉又はスタンプインク等を付けた前記印章を証書本体３０と割り印台帳３１にまたがるようにしつつ手作業で押し付け、証書本体３０と割り印台帳３１の所定の箇所に各々当該印章による割り印３２ａ、３２ｂを付すようにしている。
【０００３】
この作業を行った後、証書本体３０は当該授与者へ渡し、割り印台帳３１は当該機関で保管する。
【０００４】
この方法を行っていれば、証書本体３０が当該機関で発行したものかどうかの証（偽造品・模造品であるかどうかの検証等）を求められる場合が生じた際に、検証を求められた証書本体３０と当該機関で保存されている割り印台帳３１とを付き合せれば、印章の押され方が人の手で行うため、複数の印章を同一には押せないと言う理由で印影（割り印３２ａ、３２ｂ）の角度・濃さ・割られる位置を人間が目視して判断をすることができる。
そして、目視した結果、同じ印章で押した印影であると判断されれば証書本体は当該機関において発行されたものであると証明できる。
【０００５】
以上が従来における証書類に対して人の手で押す形態の割り印方法である。
【０００６】
しかしながら、上述した従来方法によって印章を証書本体３０と割り印台帳３１とを重ねた状態で押した場合は、図１１に示すように、証書本体３０の用紙の厚みの分だけ必ず段差ｔが生じる。
【０００７】
このため、人が印章を手で押している限りは、下側となる割り印台帳３１側の用紙上に印影３２の一部分（例えば中心部分）が欠落した部分が生じることを避けることはできず、このため、検証を求められた証書本体３０と当該機関で保存されている割り印台帳３１とを付き合せることによる証書本体３０の真偽の判定の正確性を期すことができない場合も生じる。
【０００８】
一方、図示しないが、証書本体を本来の寸法よりも一回り大きくした状態で作成しておき、カラー印刷機若しくはカラーレーザープリンターで印影を印刷又は出力してから手で押した印影（割り印）のように見せるため証書本体の印影部分の例えば半分が無くなるように切り落とす（断裁する）手法も行われている。
【０００９】
しかし、この場合には、割り印台帳を作ることを行わないため、証書本体に対する単なる印影（割り印）のイメージの表記でしかなく、本来意味するところの証書発行の証にはならない。
【００１０】
特許文献１には、電子印章データを指定可能な角度回転するとともに指定可能な切断面の位置及び方向で２分割して割印を作成する割印作成手段、文書を作成する文書作成手段、作成した割印と文書を合成して画面上に表示する表示手段、割印作成手段で作成した割印と文書作成手段で作成した文書を同一紙面上に合成して割印付き文書として印刷する印刷手段、及び、作成した割印に関するデータ及び文書を記憶する記憶手段を有する文書発行装置を備え、文書の偽造防止を図った電子印章システムが提案されている。
【００１１】
この電子印章システムの場合、正本・副本の真偽判定を行う場合、記憶内容を元に副本を再現して装置のディスプレイ上に表示したり、印刷したりする必要があるという煩雑さを伴うものであり、本発明のように証書本体と割り印台帳との突き合わせという簡略な方法で証書本体の真偽判別を行うものではなかった。
【特許文献１】特開２０００−３６９０５号公報
【発明の開示】
【発明が解決しようとする課題】
【００１２】
本発明が解決しようとする問題点は、証書類の割り印の偽造を困難とし、かつ、割り印を利用した証書類の真偽判別を簡略な突き合わせ方式で的確に実現し得るような証書類の割り印印刷システム及び割り印照合方法が存在しない点である。
【課題を解決するための手段】
【００１３】
本発明に係る証書類の割り印印刷システムは、割り印用の印章を使用してカラー印影を作成し、途中から２つに切り離して証書本体用印影と、割り印台帳用印影とし、これらを画像処理して生成した証書本体用印影データ、割り印台帳用印影データを共通の管理番号、証書番号に対応づけて個別に記憶する記憶手段を備える管理コンピュータと、前記証書本体用印影データを基に証書本体用印影をその分離端が証書本体の用紙端から微小寸法空けた位置となるようにカラー印刷するとともに、前記割り印台帳用印影データを基に割り印台帳用印影を割り印台帳の個別印影欄にカラー印刷するカラー印刷手段と、を有することを最も主要な特徴とする。
【発明の効果】
【００１４】
請求項１、２記載の発明によれば、証書本体用印影データを基に証書本体用印影をその分離端が証書番号を明示した証書本体の用紙端から微小寸法（約０．５ｍｍ又は略０．５ｍｍ）空けた位置となるようにカラー印刷手段によりカラー印刷するとともに、割り印台帳用印影データを基に割り印台帳用印影を割り印台帳の管理番号、証書番号に対応した個別印影欄にカラー印刷して、証書本体、割り印台帳を作成するものであるから、証書類の割り印の偽造が困難であり、かつ、証書本体、割り印台帳の突き合わせによる真偽判別の簡略容易化にも寄与する証書類の割り印印刷システムを提供することができる。
【００１５】
請求項３、４記載の発明によれば、用紙端から微小寸法（約０．５ｍｍ又は略０．５ｍｍ）空けた位置まで印刷された証書本体における割り印の分離端と、割り印台帳における対応する管理番号又は証書番号の個別印影欄に印刷された割り印の分離端とが対向するように突き合わせるという簡略容易な過程だけで、欠如部分の無い両分離端の合致の有無により当該証書本体の真偽を確実に判別することができる証書類の割り印照合方法を提供することができる。
【発明を実施するための最良の形態】
【００１６】
本発明に係る証書類の割り印印刷システムは、証書類の割り印の偽造を困難とし、かつ、割り印を利用した証書類の真偽判別を紙同士の突き合わせ方式で的確に実現するという目的を有するものである。
本願発明は、従来、コンピュータのデータだけによる管理、保存に頼った場合、重要書類の保管、検証には適さず、例えば、コンピュータの機種が変わったり、媒体が変化したような場合、過去のデータが見られないような事態が多々発生していたことに鑑み開発されたものである。すなわち、コンピュータのデータの保存方式、検索システム、パソコンの機種、ソフトのバージョン、媒体の種類等々は日進月歩であり、このことから、本願発明は、書面作成時にはデジタル技術であるコンピュータを用い、当該完成した書面の管理、保存は、紙と紙との付け合わせであればいつでも目視でき、また、紙の保存期間は磁気媒体等の保存期間の比でない位に極めて長期であることに着目し、使用者がいつでも安心して目視できるようにした証書類の割り印印刷システム及び割り印照合方法である。
【００１７】
本発明に係る証書類の割り印印刷システムは、割り印用の印章を使用してカラー印影を作成し、途中から２つに分離して証書本体用印影と、割り印台帳用印影とし、これらを画像処理して生成した証書本体用印影データ、割り印台帳用印影データを共通の管理番号、証書番号に対応づけて個別に記憶する証書本体用データ記憶部、割り印台帳用データ記憶部を備える管理コンピュータと、前記証書本体用印影データを基に証書本体用印影をその分離端が証書番号を明示した証書本体の用紙端から約０．５ｍｍ又は略０．５ｍｍ空けた位置となるようにカラー印刷するとともに、前記割り印台帳用印影データを基に割り印台帳用印影を割り印台帳の管理番号、証書番号に対応した個別印影欄にカラー印刷するカラー印刷手段と、を有する構成により上記目的を実現した。
【実施例】
【００１８】
以下に、本発明の実施例に係る証書類の割り印印刷システム及び割り印照合方法について詳細に説明する。
【００１９】
本実施例に係る証書類の割り印印刷システム１について、図１乃至図７を参照して説明する。
【００２０】
本実施例に係る証書類の割り印印刷システム１は、図１に示すように、証書本体３０、割り印台帳３１の作成を行う管理機関１１、割り印台帳３１を保管し、証書本体３０を授与者２１に授与する学校等のような機関２０に適用されるものであり、管理機関１１に設置された管理コンピュータ２と、例えばデジタルカラープリンターのようなカラー印刷手段３と、カラー画像スキャナーのような画像読み取り手段４とを有している。
【００２１】
前記管理コンピュータ２は、この管理コンピュータ２全体の動作プログラム、カラー印刷手段３用の印刷処理プログラム、画像読み取り手段４用の画像読み取り処理プログラムを格納したプログラムメモリ５と、制御部６と、液晶ディスプレイ等からなる表示部１０と、文字、数字等の入力を行うキーボード等からなる入力部７とを有している。
【００２２】
前記管理コンピュータ２は、更に、詳細は後述するが割り印台帳用データ記憶部８、証書本体用データ記憶部９からなる記憶手段を具備している。
【００２３】
本実施例に係る証書類の割り印印刷システム１においては、既述した場合と同様な印影３２（割り印３２ａ、３２ｂ）を押印可能な割り印用の印章を使用し、朱肉又はスタンプインク等を付けた前記印章を白紙上に押し付けて、図２に示すように、印影３２を作成する。
次に、前記印影３２を例えば中央で切り離し、印影３２の上半分を割り印台帳３１用の割り印３２ａ（割り印台帳用印影）、下半分を証書本体３０用の割り印３２ｂ（証書本体用印影）とする。
【００２４】
次に、前記割り印３２ａ、割り印３２ｂを、前記画像読み取り手段４にて各々読み取り処理して、割り印台帳用印影データ３３ａ、証書本体用印影データ３３ｂを生成する。
【００２５】
次に、図３に示すように、前記管理コンピュータ２を操作して前記割り印台帳用印影データ３３ａを、管理番号、証書番号、氏名、発行日の各データに対応づけて割り印台帳データ３４を作成し、この割り印台帳データ３４を前記割り印台帳用データ記憶部８に記憶する。
【００２６】
図３には、前記割り印台帳用印影データ３３ａを管理番号１２、証書番号１に対応づけた例を示している。
【００２７】
同様にして、図４に示すように、前記管理コンピュータ２を操作して前記証書本体用印影データ３３ｂを、管理番号、証書番号、氏名、発行日の各データに対応づけて証書本体データ３５を作成し、この証書本体データ３５を前記証書本体用データ記憶部９に記憶する。
【００２８】
図４には、前記証書本体用印影データ３３ｂを図３に示す場合と同様、管理番号１２、証書番号１に対応づけた例を示している。
【００２９】
図５は、前記割り印台帳データ３４に基づき、前記カラー印刷手段３によって割り印台帳用印影データ３３ａに対応する割り印（割り印台帳用印影）３２ａを管理番号、証書番号、氏名等とともに割り印台帳３１の個別欄にカラー印刷表示した状態を部分拡大した状態で示している。
【００３０】
図６は、前記証書本体データ３５に基づき、前記カラー印刷手段３によって証書本体用印影データ３３ｂに対応する割り印（証書本体用印影）３２ｂを管理番号、証書番号、氏名等とともに証書本体３０の所定欄にカラー印刷を表示した状態を部分拡大した状態で示している。
【００３１】
本実施例においては、証書本体３０の所定欄に割り印３２ｂを印刷表示する際に、以下のような処理を行う。
【００３２】
すなわち、前記管理コンピュータ２を操作し、印刷処理プログラムに基づき、カラー印刷手段３の証書本体３０を形成する用紙への印刷サイズの設定値を変えて、前記割り印３２ｂの分離端が、図７に拡大して示すように、用紙端から例えば約０．５ｍｍ又は略０．５ｍｍ空けた位置となるようにカラー印刷する。
【００３３】
前記証書本体３０に対する割り印３２ｂの印刷形態を上述したようにする理由は、単に手で押印した場合の割り印３２ｂの印影イメージを極力継承するためだけではなく、割り印３２ｂが証書本体３０に出力された場合に、その一部分が欠けることを避けるためである。
【００３４】
すなわち、カラー印刷手段３は、用紙の搬送機構による搬送時点で印刷出力位置に天地左右に若干の誤差が生じる場合がある。
【００３５】
また、証書本体３０を形成する用紙もその断裁加工時において若干の誤差が生じる場合がある。
【００３６】
従って、証書本体３０を形成する用紙における前記割り印３２ｂの印刷領域として、用紙端から例えば約０．５ｍｍ程度の余裕を持つようにしておくことにより、多少の誤差が生じても割り印３２ｂが証書本体３０に出力された場合にその一部分（分離端側）が欠けることを避けることができる。
【００３７】
このようにして作成された割り印台帳３１は学校等の機関２０に保管され、また、割り印３２ｂ付きの証書本体３０は、既述した場合と同様、前記機関２０から授与者２１へ渡されることになる。
【００３８】
なお、本実施例では、一名分の証書本体３０について説明したが、必要数（例えば何十人、何百人等）の証書本体３０、割り印台帳３１が上述した場合と同様にして作成されることは言うまでもない。
【００３９】
本実施例に係る証書類の割り印印刷システム１によれば、以下のような作用、効果を発揮する。
【００４０】
（１）証書本体３０の用紙端、例えば約０．５ｍｍまで割り印３２ｂを出力することにより、従来から実施されているような割り印のイメージを保つことができる。
【００４１】
（２）証書本体３０を、例えば、カラーコピーの技術を利用して偽造した場合、カラーコピー機は出力される用紙の天地左右には４ｍｍ程度白地で写らない部分が必ずできる。これに対して、本実施例の割り印３２ｂの印刷領域は、用紙端から例えば約０．５ｍｍまでなので、比較をすれば本物か贋造品かの判別が容易にできる。
【００４２】
（３）割り印台帳用印影データ３３ａ、証書本体用印影データ３３ｂからなる画像データを照合するために予め規則性（共通の管理番号）を持たせて、機関２０と管理機関１１で規約を作成しておくことによって、画像データを持っているのは管理機関１１だけであり、その規則性を周知しているのは当該機関２０と管理機関１１だけであることから、その機密情報が悪意を持つ第三者に漏れない限りは、証書本体３０を偽造することは不可能である。
【００４３】
（４）悪意を持つ第三者が証書本体３０を偽造しようとして、仮に旨く偽造できたとしても、割り印台帳３１は当該機関２０が重要書類として厳重に保管を行っており、割り印台帳３１の実物は第三者は絶対に見ることができない。従って、割り印３２ａ、３２ｂ分離位置まで本物と同様に偽造することは困難であり、当該証書本体３０と割り印台帳３１との付き合わせを行えば、偽造したものかどうかの判別を容易に行うことができる。
【００４４】
（５）カラー印刷手段３のトナーの成分は、見た目はわからないが、プリンターの製造メーカーが異なれば分子レベルで成分が変わるので出力された印影は個性がある。しかも、印影の朱赤の色は、色の３原色＋黒色で４色の配合率の掛けあわせで管理機関１１が作成しており、その色の配合率のデータは管理機関１１の管理コンピュータ２の中を解読しなければ解らない。従って、悪意のある第三者が偽造しようとして、似たような色は表現できるかもしれないが、まったく同じ色の印影を作成することは不可能である。
【００４５】
（６）カラー印刷手段３によるデジタルプリントの場合は、割り印台帳用印影データ３３ａ、証書本体用印影データ３３ｂからなる画像データとして管理コンピュータ２の中に取り込み、そのままの状態で出力を行うので、従来例の場合と異なり、印影の一部が欠けるという不都合は発生しない。
【００４６】
次に、図５、図６、図８を参照して、本発明の実施例に係る証書類の割り印照合方法について説明する。
【００４７】
本実施例に係る証書類の割り印照合方法は、上述のようにして授与者へ渡された割り印３２ｂ付きの証書本体３０が、当該機関で発行したものかどうかの証（偽造品・模造品であるかどうかの検証等）を求められる場合が生じた際に、極めて簡略に当該証書本体３０の真偽の判定を実現するものである。
【００４８】
すなわち、当該証書本体３０の真偽の判定を行う際に、前記証書本体３０の割り印３２ｂの分離端と、対応する管理番号又は証書番号の個別印影欄に印刷された割り印３２ａの分離端とが対向するように突き合わせ、欠如部分の無い両分離端の合致の有無により当該証書本体３０の真偽を簡略容易に判別することができる。
【産業上の利用可能性】
【００４９】
本発明は、資格証明書、学位記、卒業証書、その他割り印を必要とする各種証書類の印刷発行、更には発行した各種証書類の真偽判別に有用なものとして広範に応用可能である。
【図面の簡単な説明】
【００５０】
【図１】本発明の実施例に係る証書類の割り印印刷システムの全体構成を示す概略ブロック図である。
【図２】本実施例に係る証書類の割り印印刷システムにおいて、印影から割り印台帳用印影データ、証書本体用印影データを生成する過程を示す説明図である。
【図３】本実施例に係る証書類の割り印印刷システムにおける割り印台帳データの一例を示す説明図である。
【図４】本実施例に係る証書類の割り印印刷システムにおける証書本体データの一例を示す説明図である。
【図５】本実施例に係る証書類の割り印印刷システムにおける割り印台帳用印影を管理番号、証書番号、氏名等とともに割り印台帳の個別欄にカラー印刷表示した状態を示す部分拡大図である。
【図６】本実施例に係る証書類の割り印印刷システムにおける証書本体用印影を証書本体の所定欄にカラー印刷表示した状態を示す部分拡大図である。
【図７】図６に示す証書本体用印影部分を更に拡大した状態を示す部分図である。
【図８】本実施例に係る証書類の割り印照合方法を示す説明図である。
【図９】証書本体の一例を示す平面図である。
【図１０】印影の一例を示す平面図である。
【図１１】従来の割り印方法における証書本体と割り印台帳とを重ねた場合に生じる段差を示す説明図である。
【図１２】従来の割り印方法による印影を示す説明図である。
【符号の説明】
【００５１】
１    割り印印刷システム
２    管理コンピュータ
３    カラー印刷手段
４    画像読み取り手段
５    プログラムメモリ
６    制御部
７    入力部
８    割り印台帳用データ記憶部
９    証書本体用データ記憶部
１０    表示部
１１    管理機関
２０    機関
２１    授与者
３０    証書本体
３１    割り印台帳
３２    印影
３２ａ  割り印
３２ｂ  割り印
３３ａ  割り印台帳用印影データ
３３ｂ  証書本体用印影データ
３４    割り印台帳データ
３５    証書本体データ
【図１】
2010154194.tif 000003
【図２】
2010154194.tif 000004
【図３】
2010154194.tif 000005
【図４】
2010154194.tif 000006
【図５】
2010154194.tif 000007
【図６】
2010154194.tif 000008
【図７】
2010154194.tif 000009
【図８】
2010154194.tif 000010
【図９】
2010154194.tif 000011
【図１０】
2010154194.tif 000012
【図１１】
2010154194.tif 000013
【図１２】
2010154194.tif 000014